(57)【特許請求の範囲】
【請求項１】
薬剤が予め包装されて構成される複数の薬剤包装体を保持することができる保持部と、前記保持部を収納可能に支持する棚本体と、を備え、
前記複数の薬剤包装体は、ＰＴＰシート包装体であり、多種類の異なる形状を呈しており、
前記保持部は、
前記棚本体に対して前後方向に移動可能であり、
前記複数の薬剤包装体が呈する異なる形状のそれぞれに応じて設定され、前後方向に並ぶ複数の保持区画を備え、
前記複数の保持区画のそれぞれには、前記複数の薬剤包装体を、その厚み方向に積層して配置可能であり、
前記複数の保持区画のそれぞれは、前記保持部を前記棚本体から引き出した状態において、前記複数の保持区画のそれぞれの底部において、前後方向および上下方向に垂直な、当該保持部の幅方向から前記薬剤包装体を出し入れできるように、前記保持部の幅方向に開放されている、薬剤包装体収納棚。
【請求項２】
前記保持部は、前記複数の保持区画を幅方向両側に備える、請求項１に記載の薬剤包装体収納棚。
【請求項３】
前記保持部は、当該保持部の内部を仕切ることで前記複数の保持区画を形成する仕切り部材と、
前記仕切り部材が前後方向に間隔をあけて取り付けられる仕切り部材支持部と、を有する、請求項１または２に記載の薬剤包装体収納棚。
【請求項４】
前記棚本体には、前記保持部が複数、上下方向に収納され、
各保持部は、他の保持部と独立して前記棚本体から引き出し可能である、請求項１〜３のいずれか１項に記載の薬剤包装体収納棚。
【請求項５】
前記薬剤包装体に関連する情報を処理する情報処理装置が、前方から操作可能に備え付けられる、請求項１〜４のいずれか１項に記載の薬剤包装体収納棚。
【請求項６】
前記薬剤包装体に関連して使用される関連装置が、前方から操作可能に備え付けられる、請求項１〜５のいずれか１項に記載の薬剤包装体収納棚。
【請求項７】
前記薬剤包装体に関連する作業を行うための作業台が備え付けられる、請求項１〜６のいずれか１項に記載の薬剤包装体収納棚。
【発明の詳細な説明】
【技術分野】
【０００１】
本発明は、薬剤が予め包装されて構成される薬剤包装体を収納できる薬剤包装体収納棚に関するものである。
【背景技術】
【０００２】
従来の薬剤包装体収納棚として、例えば特許文献１に記載された「薬剤パックの収納棚」が挙げられる。この収容棚は、棚板に対する仕切板の取り付け位置を変更することにより、当該仕切板によって区画された部分の容積を可変とするものである。
【０００３】
しかし、この特許文献１に記載された収容棚は、仕切板によって区画された部分は上下左右に並んでいる。このため、収容棚の単位幅寸法あたりの収納効率に限界があった。
【先行技術文献】
【特許文献】
【０００４】
【特許文献１】特開２００１−１０４０６３号公報
【発明の概要】
【発明が解決しようとする課題】
【０００５】
そこで本発明は、収納効率を向上させた薬剤包装体収納棚を提供することを課題とする。
【課題を解決するための手段】
【０００６】
本発明の構成の一例は、薬剤が予め包装されて構成される複数の薬剤包装体を保持することができる保持部と、前記保持部を収納可能に支持する棚本体と、を備え、前記複数の薬剤包装体は、ＰＴＰシート包装体であり、多種類の異なる形状を呈しており、前記保持部は、前記棚本体に対して前後方向に移動可能であり、前記複数の薬剤包装体が呈する異なる形状のそれぞれに応じて設定され、前後方向に並ぶ複数の保持区画を備え、前記複数の保持区画のそれぞれには、前記複数の薬剤包装体を、その厚み方向に積層して配置可能であり、前記複数の保持区画のそれぞれは、前記保持部を前記棚本体から引き出した状態において、前記複数の保持区画のそれぞれの底部において、前後方向および上下方向に垂直な、当該保持部の幅方向から前記薬剤包装体を出し入れできるように、前記保持部の幅方向に開放されている、薬剤包装体収納棚である。
【０００７】
前記構成によると、保持部の側方である幅方向から薬剤包装体を出し入れできる。このため、前方から出し入れする構成よりも保持区画を多数備えることができる。よって、薬剤包装体収納棚の単位幅寸法あたりの薬剤包装体の収納数を多くすることができる。
【０００８】
そして、前記保持部は、前記複数の保持区画を幅方向両側に備えるものとできる。
【０００９】
前記構成によると、薬剤包装体収納棚の単位幅寸法あたりの薬剤包装体の収納数を多くすることができる。
【００１０】
そして、前記保持部は、前記保持部は、当該保持部の内部を仕切ることで前記複数の保持区画を形成する仕切り部材と、前記仕切り部材が前後方向に間隔をあけて取り付けられる仕切り部材支持部と、を有するものとできる。
【００１１】
前記構成によると、複数の保持区画が仕切り部材によって前後方向に仕切られて形成されるため、隣り合う保持区画に保持されている薬剤包装体が混ざることを防止することができる。
【００１２】
そして、前記棚本体には、前記保持部が複数、上下方向に収納され、各保持部は、他の保持部と独立して前記棚本体から引き出し可能であるものとできる。
【００１３】
前記構成によると、保持部を上下方向に小分けして形成できるので、小分けされた保持部を軽量化できる。このため、保持部の前後方向への移動に要する力を小さくすることができる。よって、作業者の使い勝手を向上させることができる。
【００１４】
そして、前記薬剤包装体に関連する情報を処理する情報処理装置が、前方から操作可能に備え付けられるものとできる。
【００１５】
前記構成によると、作業者が情報処理装置の操作を行いやすい。このため、作業者の利便性を向上させることができる。
【００１６】
そして、前記薬剤包装体に関連して使用される関連装置が、前方から操作可能に備え付けられるものとできる。
【００１７】
前記構成によると、作業者が関連装置の操作を行いやすい。このため、作業者の利便性を向上させることができる。
【００１８】
そして、前記薬剤包装体に関連する作業を行うための作業台が備え付けられるものとできる。
【００１９】
前記構成によると、作業者が薬剤包装体に関連する作業を行う際の利便性を向上させることができる。
【発明の効果】
【００２０】
本発明は、前記構成の一例の場合、薬剤包装体収納棚の単位幅寸法あたりの薬剤包装体の収納数を多くすることができる。よって、収納効率を向上させることができる。
【図面の簡単な説明】
【００２１】
【図１】本発明の一実施形態に係る薬剤包装体収納棚を備えた調剤装置を示す斜視図である。
【図２】同調剤装置を示し、保管部において図１に示したものとは別の保持部を引き出した場合を示す斜視図である。
【図３】同調剤装置（ただし払い出し機構を備えていない）を示し、保管部において図１に示したものとは別の保持部を引き出し、情報処理装置保持部を収納した場合を示す斜視図である。
【図４】同調剤装置における装置本体の内部構造を示す、縦断面の概略図である。
【図５】同調剤装置の構成の一例に係るブロック図である。
【図６】同調剤装置における保管部のうち、ＰＴＰシート包装体を保持する保持部を示す、要部拡大斜視図である。
【図７】図６において一部の保持区画を空にした状態を示す、要部拡大斜視図である。
【図８】同調剤装置における保管部のうち、ＰＴＰシート包装体を保持する保持部に用いられる仕切板の一例を示す斜視図である。
【図９】（Ａ）〜（Ｃ）共、同調剤装置における保管部の情報処理装置保持部を示す、要部拡大斜視図である。
【図１０】同調剤装置における保管部の払い出し機構等を示す、要部拡大斜視図である。
【図１１】同調剤装置のうち、情報処理装置（ノート形コンピュータ）による調剤データ作成動作を示すフロー図である。
【図１２】同調剤装置のうち、装置本体制御装置による調剤動作を示すフロー図である。
【図１３】同調剤装置のうち、情報処理装置（ノート形コンピュータ）による監視動作を示すフロー図である。
【図１４】同調剤装置のうち、保管部制御装置による位置表示部の表示動作を示すフロー図である。
【発明を実施するための形態】
【００２２】
次に、本発明につき、一実施形態を取り上げて説明を行う。
【００２３】
本実施形態の薬剤包装体収納棚として機能する保管部３を備えた調剤装置１は、図１〜図３に示す形状（ただし図３は、払い出し機構を備えない変形形態を示す）であり、処方情報に基づいて錠剤の調剤を行う装置である。処方情報は例えば、調剤装置１が備える情報処理装置（ノート形コンピュータ）６を用いて薬剤師等の作業者が手入力した情報や、調剤装置１とは別に設置されたホストコンピュータ（レセプトコンピュータ等）から調剤装置１が取り込んだ情報があるが、その他種々の処方に関する情報であってよい。
【００２４】
調剤装置１は、処方情報に基づいて調剤を行う装置としての装置本体２と物品保管装置としての保管部３とを備える。装置本体２と保管部３とは別体である。別体であるから、装置本体２と保管部３とを別個に運搬、設置できるため、運搬および設置のための作業が容易である。さらに、装置本体２、保管部３のそれぞれの底部には図示のようにキャスターが設けられている。このため床面上での移動が容易である。
【００２５】
本実施形態の装置本体２は、調剤装置１において左側部分を占める装置である。装置本体２の機能を、図４も示しつつ簡単に説明する。装置本体２は薬剤供給装置２１を備える。この薬剤供給装置２１は、主薬剤供給部２１ａと副薬剤供給部２１ｂから構成されている。
【００２６】
主薬剤供給部２１ａは、単一種類の薬剤（錠剤）を収容する薬剤収容部である錠剤カセット４を複数用いるものである。複数の錠剤カセット４…４のそれぞれには、互いに異なる種類の薬剤が収容され、複数の錠剤カセット４…４から、処方情報に基づいて薬剤を選択的に供給することができる。この主薬剤供給部２１ａは、錠剤カセット４を着脱可能な１または複数の薬剤収容部装着部である１または複数のカセット装着部２１１を備える。本実施形態では、主薬剤供給部２１ａは、複数のカセット装着部２１１…２１１を備える。複数のカセット装着部２１１…２１１は、本実施形態では中心軸が上下方向に延びる略円筒状であるドラム体２１２に設けられており、各カセット装着部２１１に錠剤カセット４を装着できる。
【００２７】
錠剤カセット４には個体識別のため、例えば磁石、バーコード、２次元コード、ＲＦＩＤタグ等を用いた識別手段４１が設けられている。一方、各カセット装着部２１１には識別情報検出部２１７が設けられている。これら構成により、どの錠剤カセット４がどのカセット装着部２１１に装着されたかを管理できる。なお、本実施形態の主薬剤供給部２１ａでは、複数のカセット装着部２１１…２１１の総数のうち３／４については錠剤カセット４とカセット装着部２１１とがあらかじめ一対一の関係で指定されており、指定外の錠剤カセット４を装着することができない。一方、残り１／４については、自由に錠剤カセット４を装着することができる。よって特に、この自由に装着可能であるカセット装着部２１１に関しては、適宜錠剤カセット４を差し替えることができるから、前記１／４に対応した数量を超えて錠剤カセット４を用意しておくことができる（なお、前記３／４に対応する錠剤カセット４に関しても、同一の錠剤カセット４として識別されるよう識別手段４１が構成されていれば予備を用意しておくことができる）。
【００２８】
装置本体２の前面側に位置する錠剤カセット４を差し替えることができるよう、主薬剤供給部２１ａにおいてドラム体２１２の前方には開閉扉２１３が設けられている。開閉扉２１３の側方には、ドラム体２１２の各段に対応した段表示部２１４が設けられている。この段表示部２１４にはＬＥＤ素子等が用いられる。段表示部２１４は、主薬剤供給部２１ａにおける前側に位置するカセット装着部２１１に装着された錠剤カセット４につき、例えば、現在薬剤の払い出し中であること、次回払い出しの待機中であること、エラーが生じていること、等を表示態様（ＬＥＤ素子であれば、例えば異なる色彩での表示や点灯・点滅のパターン）により作業者に報知できる。
【００２９】
カセット装着部２１１には、図５に示すように、装着される錠剤カセット４に対応した、駆動源２１５、薬剤検出部２１６、識別情報検出部２１７が設けられている。駆動源２１５は錠剤カセット４が備えており、薬剤の払い出しの際に回転するロータ（図示しない）を回転させるものである。薬剤検出部２１６は、錠剤カセット４から薬剤がドラム体２１２に落下したことを検出する。識別情報検出部２１７は、錠剤カセット４の識別手段４１を識別する。
【００３０】
副薬剤供給部２１ｂは、錠剤を半分に分割したものを調剤する際に、薬剤師等の作業者が「手撒き」により薬剤を供給する場合に用いられる。詳細は図示しないが、図１に示す状態から前方に引き出して前記「手撒き」を行う。この副薬剤供給部２１ｂは、平面視でマトリックス状に凹部が形成されており、この凹部に作業者が薬剤を配置する。
【００３１】
主薬剤供給部２１ａの薬剤通路と副薬剤供給部２１ｂの薬剤通路とはつながっており、集合ホッパー２１８に接続されている。集合ホッパー２１８の上部開口は、開閉部材２１９により開閉される。主薬剤供給部２１ａおよび副薬剤供給部２１ｂの下方には包装部５が設けられており、主薬剤供給部２１ａまたは副薬剤供給部２１ｂから集合ホッパー２１８を介して供給された薬剤を包装シートＳで包装できる。装置本体２はパネル状の本体操作部２２が設けられており、作業者が調剤および包装の操作を行うことができる。なお、調剤装置１の総合的な操作は、保管部３に設置された情報処理装置としてのノート形コンピュータ６により行われる。
【００３２】
本実施形態の保管部３は、調剤装置１において右側部分を占める装置であり、少なくとも物品を保管可能なロッカーとしての機能を有している。この保管部３は、設置状態で装置本体２に対して機械的に連結されている。例えば、図示はしていないが、装置本体２と保管部３とは連結金具等、両者を機械的に連結可能な連結手段により固定される。この連結手段により、保管部３が装置本体２の側方に、しかも装置本体２に隣接して設置された状態で固定される。このため、保管部３が装置本体２に対して機械的に連結された状態となるため、例えば地震による保管部３の不意の移動および転倒を防止することができる。なお、設置個所の天井や壁面に対しても装置本体２および保管部３を機械的に連結することにより、移動および転倒防止をより確実に行うことができる。
【００３３】
この保管部３は、装置本体２による処方情報に基づいた調剤の実施に当たり装置本体２において用いられる関連物を保管する。関連物とは、一例として、薬剤収容部としての錠剤カセット４、薬剤（錠剤）そのもの、調剤に用いる薬剤（錠剤）が複数、ＰＴＰシート等により包装されたＰＴＰシート包装体Ｐ等の薬剤包装体、薬剤（錠剤）が充填されたボトル、調剤装置１で用いられる消耗品（包装シートＳ、プリンタ用紙、インクリボン等）、情報処理装置（本実施形態ではノート形コンピュータ６）等が挙げられるが、その他種々の物体が関連物に該当し得る。ＰＴＰシート包装体Ｐのように、薬剤が予め包装されて構成される薬剤包装体を関連物として保管する保管部３は、薬剤包装体収納棚として機能する。
【００３４】
したがって、保管部３には例えば、複数の錠剤カセット４…４のうち、カセット装着部２１１に装着されている錠剤カセット４を除く残余分等、カセット装着部２１１に装着されていない錠剤カセット４を関連物として保管できる。このため、錠剤カセット４を交換する交換作業において、作業者の移動距離を短くすることができる。したがって交換作業の効率を向上させることができる。
【００３５】
また保管部３には例えば、装置本体２で調剤を行う場合に必要な薬剤を関連物として保管できる。このため、調剤を行う場合に必要な薬剤を取り揃える作業において、作業者の移動距離を短くすることができる。したがって前記作業の効率を向上させることができる。
【００３６】
このように薬剤を関連物として保管する場合、特に複数の錠剤カセット４…４のそれぞれに補充されるべき予備の薬剤を関連物として保管できる。このため、錠剤カセット４に薬剤を補充する補充作業において、作業者の移動距離を短くすることができる。したがって補充作業の効率を向上させることができる。
【００３７】
また保管部３には例えば、装置本体２において調剤を行うに伴って使用する消耗品の予備品を関連物として保管できる。このため、消耗品を交換する交換作業において、作業者の移動距離を短くすることができる。したがって前記交換作業の効率を向上させることができる。
【００３８】
保管部３は装置本体２の右側方に隣接して設置されている。このように保管部３が、装置本体２の側方に、しかも装置本体２に隣接して設置されるため、関連物を装置本体２で用いる際、保管部３から取り出して即装置本体２に適用できる。このため、従来のように装置本体２と保管部３とが離れて設置されていた構成に比べ、調剤装置１を用いる作業者の移動距離を短くすることができる。したがって作業効率を向上させることができる。
【００３９】
保管部３の前後寸法は装置本体２の前後寸法以下であり、保管部３の幅寸法は装置本体２の幅寸法よりも小さい。本実施形態の調剤装置１では、図１〜３に示すように、保管部３の前後寸法は装置本体２の前後寸法と同一である。保管部３の前後寸法を装置本体２の前後寸法以下とすることにより、保管部３を装置本体２よりも前方に突出させないようにでき、作業者の邪魔にならない。そして、保管部３の幅寸法が装置本体２の幅寸法よりも小さくすることにより、調剤装置１を特に幅方向においてコンパクトに配置できる。このため、調剤装置１の設置面積をできるだけ小さくすることができる。
【００４０】
保管部３は、保管装置本体としての保管部本体３１と、関連物を保持する保持部３２とを備える。保管部本体３１は棚本体として保持部３２を収納可能に支持する。本実施形態において、保管部本体３１は前面が開放された筐体状の部分であり、保持部３２は保管部本体３１に対して前後方向に移動可能な引き出し状の部分である。保管部本体３１には、複数（本実施形態では１５個）の保持部３２が上下方向に並んで収納される。保持部３２は一般的な引き出しと同様に上方が開放されており、保持部３２を保管部本体３１から前方に引き出した状態で関連物を出し入れ可能である。保持部３２には、関連物を少なくとも前後方向に並べた状態で保持可能である。
【００４１】
本実施形態の保持部３２は、錠剤カセット４を保持するものにつき、１個当たり、左右方向（幅方向）に２箇所、前後方向（引き出し方向）に５箇所のカセット保持区画３２１を有する。このため、合計１０個の錠剤カセット４…４を並べた状態で保持可能である。
【００４２】
また、図３に示すように、複数のＰＴＰシート包装体Ｐ…Ｐを保持する保持部３２では、１個当たり、左右方向に２列、包装体保持区画３２２を形成可能である。このため、左右２列にＰＴＰシート包装体Ｐ…Ｐを、厚み方向に積層して配置できる。なお、前後方向については、保持部３２の本体に対して可動とされた仕切り部材３４１の配置により、図６に示すように、各ＰＴＰシート包装体Ｐの短辺寸法に応じた数、積層状態のＰＴＰシート包装体Ｐ…Ｐを並べることができる。
【００４３】
このようにＰＴＰシート包装体Ｐ…Ｐを保持する保持部３２は、図６および図７に示すように区画設定手段３４を有している。区画設定手段３４は、板状の仕切り部材３４１と、仕切り部材支持部３４２とを有する。仕切り部材３４１は図８に示す形状であり、保持部３２の内部を仕切ることで複数の包装体保持区画３２２…３２２を形成する。仕切り部材支持部３４２には、仕切り部材３４１が前後方向に間隔をあけて取り付けられる。複数の包装体保持区画３２２…３２２が、仕切り部３４１によって保持部３２の内部を前後方向に仕切られることで形成されるため、隣り合う包装体保持区画３２２，３２２に保持されているＰＴＰシート包装体Ｐ…Ｐが混ざることを防止することができる。特に、異種のＰＴＰシート包装体Ｐ，Ｐが隣り合って保持されている場合有利である。
【００４４】
本実施形態の仕切り部材支持部３４２は、保持部３２の幅方向中央に位置する中央支持部３４２ａと、側方に位置する側方支持部３４２ｂとを備える。中央支持部３４２ａおよび側方支持部３４２ｂには、前後方向に所定間隔をおいて複数の嵌め込み溝３４３が形成されている。この嵌め込み溝３４３に仕切り部材３４１を嵌め込むことで、包装体保持区画３２２を形成できる。嵌め込み溝３４３のうち中央支持部３４２ａに位置するものには、仕切り部材３４１の縦辺部３４１ａおよび下辺右部３４１ｂが嵌め込まれる。嵌め込み溝３４３のうち側方支持部３４２ｂに位置するものには、仕切り部材３４１の下辺左部３４１ｃが嵌め込まれる。
【００４５】
保持部３２に、大きさの異なる複数のＰＴＰシート包装体Ｐ…Ｐのような、多種類の異なる形状を呈する複数の薬剤包装体を保持する場合について以下説明する。なお、前記「異なる形状」とは、ＰＴＰシート包装体Ｐ…Ｐの場合、短辺と長辺の比が異なること、短辺と長辺の比が同一で大きさが異なる（相似形）ことのように主に平面視形状が異なる場合、また、ＰＴＰシート包装体Ｐと軟膏容器等のように立体形状が異なる場合のいずれも意味している。
【００４６】
この場合の保持部３２は複数の包装体保持区画３２２…３２２を備える。複数の包装体保持区画３２２…３２２は区画設定手段３４により、薬剤包装体（本実施形態ではＰＴＰシート包装体Ｐ…Ｐ）の前記異なる形状のそれぞれに応じて設定され（異なる形状ごとに設定され）、これにより、複数の薬剤包装体を前後方向および上下方向に並べて保持できる。１個の保持部３２には、同一形状の包装体保持区画３２２を複数設定することもできるし、異なる形状の包装体保持区画３２２が混在するように設定することもできる。また、図６に示すように、複数の保持部３２…３２において同一形状の包装体保持区画３２２を設定することもできるし、各保持部３２で異なる形状の包装体保持区画３２２を設定することもできる。
【００４７】
包装体保持区画３２２…３２２のそれぞれは、保持部３２を前記保管部本体３１から引き出した状態において、図６に示すように、上方向に加えて、当該保持部３２の幅方向（左右方向）に開放されている。したがって、保持部３２の側方である幅方向から薬剤包装体を出し入れできる。このため、前方から出し入れする構成よりも保持部３２において包装体保持区画３２２を多数備えることができる。よって、単位幅寸法あたりの薬剤包装体の収納数を多くすることができる。また、保持部３２は、複数の包装体保持区画３２２…３２２を幅方向両側に備える。このため、単位幅寸法あたりの薬剤包装体の収納数を多くすることができるため、収納効率を向上できる。
【００４８】
このように、保管部本体３１には複数の保持部３２が上下方向に収納され、保持部３２に関連物（本実施形態では錠剤カセット４およびＰＴＰシート包装体Ｐ）を少なくとも前後方向に並べた状態で保持できる。このため、保管部３における単位幅寸法あたりの関連物の保管数を多くすることができ、保管部３の設置スペースを有効利用できる。
【００４９】
特に、図１および図２に示された、錠剤カセット４を保持する保持部３２は、複数のカセット４…４のうち特定のものが保持された保持部３２内の位置を、状態変化により示すことのできる位置表示部３２４を備える。この位置表示部３２４としてはＬＥＤ素子等が用いられる。保持部３２における前面パネルには前面位置表示部３２４ａが、錠剤カセット４の左右方向の配置数に応じた複数個設けられている。本実施形態の保持部３２には、前面左方位置表示部３２４ａｌ、前面右方位置表示部３２４ａｒの２個が設けられている。そして保持部３２の側面には側面位置表示部３２４ｂが設けられている。側面位置表示部３２４ｂは、錠剤カセット４の前後方向の配置数に応じた複数個（本実施形態では片側で５個）設けられている。この側面位置表示部３２４ｂは、保持部３２が引き出された状態であることを条件に表示（ＬＥＤ素子においては点灯）がなされる。前記表示のため、保管部３は位置表示部３２４を状態変化させるよう制御する表示部制御部を備える。本実施形態では保管部制御装置３３（図５参照）が表示部制御部を兼ねているが、表示部制御部は、保管部制御装置３３から独立して設けることもできる。
【００５０】
前述のように、錠剤カセット４には個体識別のための識別手段４１が設けられている。保管部３は、装置本体２と同様に識別手段４１を識別する識別情報検出部３２５（図５参照）を備える。この識別情報検出部３２５により、例えば、装置本体２において錠剤カセット４の交換が必要になった場合に、交換に必要な特定の錠剤カセット４が上下方向においてどの保持部３２に保管されているかを、前面位置表示部３２４ａを表示（ＬＥＤ素子においては点灯）することで作業者に報知できる。なお、複数の前面位置表示部３２４ａのうちいずれが表示されているかにより、前面位置表示部３２４ａが表示された特定の保持部３２にて左右方向のどの位置に必要な錠剤カセット４が存在するかわかる。また、前記特定の保持部３２を作業者が引き出すと、必要な錠剤カセット４に対応した側面位置表示部３２４ｂが表示されている。複数の側面位置表示部３２４ｂ…３２４ｂのうちいずれが表示されているかにより、側面位置表示部３２４ｂが表示された特定の保持部３２にて前後方向のどの位置に必要な錠剤カセット４が存在するかわかる。このように、前面位置表示部３２４ａおよび側面位置表示部３２４ｂにより、保管部３のどこに必要な錠剤カセット４が存在するか作業者は容易に知ることができ、錠剤カセット４の交換等の作業を迅速に行うことができる。
【００５１】
なお、前記と同様の位置表示部を、複数のＰＴＰシート包装体Ｐ…Ｐを保管する保持部３２に各包装体保持区画３２２に対応する等して設けることもできる（図３には前面位置表示部３２４ａのみ示されている）。この場合、ＰＴＰシート包装体Ｐを構成するＰＴＰシートや薬剤保管部に配置する部品に、錠剤カセット４に設けられたものと同様の識別手段を設けておくことで、保管部３のどこに必要な薬剤が存在するか作業者が容易に知ることができる。
【００５２】
保管部３には、装置本体２に接続され、前記装置本体２に関連する情報を処理する情報処理装置が、前方から操作可能に備え付けられる。本実施形態では、この情報処理装置として折り畳み可能なノート形コンピュータ６が用いられている。また、この情報処理装置（ノート形コンピュータ６）は調剤装置１における総合制御装置として機能し、装置本体制御装置２３と保管部制御装置３３（図５参照）とを総合的に制御する。図１および図２に示すようにこのノート形コンピュータ６は使用状態で作業者が前方から操作可能である。このため、調剤装置１の前方に立つ作業者の利便性を向上させることができる。
【００５３】
このノート形コンピュータ６は不使用時に保管部３に収納できる。このため保管部３は、ノート形コンピュータ６を保持する情報処理装置保持部３２６を備える。情報処理装置保持部３２６は、ノート形コンピュータ６専用の引き出しであって、他の関連物を保持する保持部３２と同じく、保管部本体３１に対して前後方向に移動可能である。この情報処理装置保持部３２６は外観上、錠剤カセット４やＰＴＰシート包装体Ｐを保持する保持部３２と同じであるが、内部にテーブルを備える点で異なる。テーブルは、保管部本体３１から引き出された状態において水平面内で姿勢を変更可能である。本実施形態では、テーブルは、回動テーブル３２７であり、この回動テーブル３２７は、情報処理装置保持部３２６が保管部本体３１から引き出された状態および保管部本体３１への収納状態にてノート形コンピュータ６を上方に載置し、図９（Ａ）〜（Ｃ）に示すように載置状態のまま水平面内を回動可能である。回動テーブル３２７を回動することでノート形コンピュータ６の向きを変えることができる。このため、ノート形コンピュータ６を保管部３に対し、使用時と不使用時とで適する位置関係にできる。回動テーブル３２７には、ノート形コンピュータ６を上方に載置した状態で固定する固定手段３２８が設けられており、この固定手段３２８が係合することで、回動テーブル３２７を回動させても情報処理装置保持部３２６でノート形コンピュータ６がずれることを抑制している。
【００５４】
本実施形態のノート形コンピュータ６は、一般的な、平面視横長長方形状に折り畳み可能なものである。回動テーブル３２７は、調剤装置１の運転時、つまり装置本体２が調剤を行う場合、図１および図２に示すように、ノート形コンピュータ６の長辺側が左右方向を向く。一方、図３に示すように、保管部本体３１に対してノート形コンピュータ６が収納される場合、ノート形コンピュータ６の長辺側が前後方向を向く。このようにノート形コンピュータ６の方向を転換するため、回動テーブル３２７は９０度の範囲で回動可能である。
【００５５】
図９（Ａ）は、保管部本体３１から情報処理装置保持部３２６を前方に引き出した直後の状態を示す。この状態では、畳まれたノート形コンピュータ６の長辺側が前後方向を向いている。図９（Ｂ）は、回動テーブル３２７を平面視で反時計回りに回動させている途中の状態を示す。回動に伴い、畳まれたノート形コンピュータ６の長辺側の向きは変化していく。なお、本実施形態では、情報処理装置保持部３２６の前面パネルが回動テーブル３２７と一体とされており、回動テーブル３２７と共に回動する。図９（Ｃ）は、回動テーブル３２７を図９（Ａ）に示した状態から９０度回動させた状態を示す。この状態では、畳まれたノート形コンピュータ６の長辺側が左右方向を向いている。この状態でート形コンピュータを広げると、図１および図２に示した状態となる。この情報処理装置保持部３２６により、ノート形コンピュータ６を、操作を行う場合には作業者に対して正対した姿勢とでき、一方、保管部本体３１への収納時には収納に適したコンパクトな姿勢とできる。よって、不使用時には邪魔にならず、使用時には作業者の利便性を向上させることができる。
【００５６】
保管部３にはさらに、調剤に関連して使用される関連装置が、前方から操作可能に備え付けられている。このため、調剤を行う際の利便性を向上させることができる。この関連装置としては種々の装置を用いることができるが、その一例として、錠剤カセット４から薬剤（錠剤）を払い出す払い出し機構７について説明する。保管部３は、この払い出し機構７により払い出された薬剤を受ける受け容器８１も備える。払い出し機構７によって錠剤カセット４から薬剤を払い出しながら、その薬剤を計数することができる。これによって錠剤カセット４に収容されている薬剤の総数を計数することができる。また、錠剤カセット４に収容されている薬剤を、必要個数だけ払い出すこともできる。
【００５７】
この払い出し機構７は、図１０に示すように、錠剤カセット４を保持する保持部３２のうち、連続する上下二段の保持部３２，３２にわたって設けられている。本実施形態では、前記二段のうち上段側の保持部３２において左方最前方の領域に保持された錠剤カセット４Ｘに対して薬剤の払い出しが可能とされている。一方、上段側の保持部３２における右方最前方の領域は、錠剤カセット４は保持できない。なお、薬剤の払い出しが可能な錠剤カセット４は１個に限られるものではなく、複数の錠剤カセット４…４に対して薬剤の払い出しが可能であってもよい。
【００５８】
前記上段側の保持部３２は、操作部７１を前面に備える。この操作部７１は前方から操作可能に上段側の保持部３２に備え付けられているので、作業者が操作を行う際の利便性を向上させることができる。上段側の保持部３２は、薬剤を錠剤カセット４から払い出すべく、前記カセット装着部２１１と同様のカセット装着部を備えている。払い出し機構７は操作部７１により操作されるが、情報処理装置（本実施形態ではノート形コンピュータ６）によって操作することもできる。
【００５９】
前記二段のうち下段側の保持部３２における右方最前方の領域は、上段側の保持部３２の錠剤カセット４から払い出された薬剤を受ける受け容器８１と、これを支持する受け容器支持部８２が設けられている。払い出し後、下段側の保持部３２を前方に引き出した上で受け容器８１を取り出すことで、払い出した薬剤を保持部３２から取り出すことができる。
【００６０】
また、図示はしていないが、保管部３に作業台が備え付けられることもできる。これによると、作業者が調剤に関連する作業を行う際の利便性を向上させることができる。この作業台は、保管部３に固定的に備え付けられていてもよいし、引き出し式、折り畳み式であってもよい。
【００６１】
次に、調剤装置１の各部制御に関して説明する。以下の説明は、調剤に必要な錠剤カセット４が装置本体２のカセット装着部２１１に装着されておらず、当該錠剤カセット４を保管部３から作業者が取り出す際の制御に関する。
【００６２】
まず、図１１のフロー図とともに、情報処理装置（本実施形態ではノート形コンピュータ）６による調剤データ作成動作に関する制御について説明する。
【００６３】
処方データは、作業者が情報処理装置６を操作することによって手入力される。確定操作が行われると次のステップに移る。なお、処方データは、前記手入力のほか、調剤装置１とは別に設置されており、接続されたホストコンピュータ（レセプトコンピュータ等）からの受信により入力されてもよい。この場合、受信後はすぐに次のステップに移ってもよく、あるいは、作業者によって確定操作が行われることを条件として、次のステップに移るようにしてもよい。
【００６４】
情報処理装置６は、入力された処方データがあるか否かを判断する（ステップＳ１１）。ないと判断した場合、ステップＳ１１を繰り返す。あると判断した場合、情報処理装置６は処方データに基づいて調剤データを作成する（ステップＳ１２）。そして、作成した調剤データを装置本体制御装置２３に送信する（ステップＳ１３）。その後、ステップＳ１１に戻る。
【００６５】
処方データは、少なくとも薬剤の種類および個数を示す処方情報を含んでいる。前記処方情報において、薬剤の種類（１または複数）と、当該種類の薬剤の個数とが関連付けられている。一方、情報処理装置６にはマスタデータが予め登録されている。マスタデータが含む情報には、薬剤の種類と、当該種類の薬剤を収容する錠剤カセット４の固有のカセット番号と、が関連付けられている。処方データに基づいて作成された調剤データは調剤情報を含む。この調剤情報は、薬剤の種類に対応するカセット番号と薬剤の個数とを示す情報である。
【００６６】
次に、図１２のフロー図とともに、装置本体制御装置２３による調剤動作に関する制御について説明する。
【００６７】
図１２には示していないが、装置本体制御装置２３は、調剤動作とは別に、常時、カセット認識動作を実行している。このカセット認識動作では、装置本体２の全てのカセット装着部２１１…２１１について、現に装着されている各錠剤カセット４のカセット番号を取得する。そして、各カセット装着部２１１の位置と前記カセット番号とを関連付けて記憶する。
【００６８】
装置本体制御装置２３は、前記情報処理装置６により送信された調剤データの受信を確認する（ステップＳ２１）。受信が確認できない場合、ステップＳ２１を繰り返す。受信が確認できた場合、調剤データ中の調剤情報に含まれる１または複数のカセット番号に対応する１または複数の錠剤カセット４について、装置本体２に未装着のものがあるか否かを判断する（ステップＳ２２）。ないと判断した場合ステップＳ２５に飛ぶ。
【００６９】
この判断に応じ、装置本体制御装置２３は、装置本体２の状態に関する状態データを情報処理装置６に送信する。ステップＳ２２で未装着の錠剤カセット４があると判断した場合、未装着の錠剤カセット４があることと、その錠剤カセット４のカセット番号とを表す状態データを情報処理装置６に送信する（ステップＳ２３）。次に、未装着の錠剤カセット４がないことを判断する（ステップＳ２４）。前記「未装着の錠剤カセット４がない」とは、例えばステップＳ２３による送信に応じ、情報処理装置６が作業者に報知したことにより、作業者が錠剤カセット４を装置本体２に装着した後の状態を意味している。未装着の錠剤カセット４がないと判断した場合、未装着の錠剤カセット４がないことを表す状態データを情報処理装置６に送信する（ステップＳ２５）。ないと判断しなかった場合はステップＳ２４を繰り返す。
【００７０】
ステップＳ２５の後、調剤データに基づいて薬剤を包装する（ステップＳ２６）。その後、ステップＳ２１に戻る。
【００７１】
次に、図１３のフロー図とともに、情報処理装置６による監視動作に関する制御について説明する。
【００７２】
前記装置本体制御装置２３により送信された状態データの受信を確認する（ステップＳ３１）。受信が確認できない場合、ステップＳ３１を繰り返す。次に、受信した状態データにつき、未装着の錠剤カセット４があることを表すか、ないことを表すかを判断する（ステップＳ３２）。状態データにつき未装着の錠剤カセット４があることを表す場合、位置表示すべき錠剤カセット４があることと、その錠剤カセット４のカセット番号とを表すコマンドデータを保管部制御装置３３に送信する（ステップＳ３３）。一方、状態データにつき未装着の錠剤カセット４がないことを表す場合、位置表示すべき錠剤カセット４がないことを表すコマンドデータを保管部制御装置３３に送信する（ステップＳ３４）。ステップＳ３３またはステップＳ３４の後、ステップＳ３１に戻る。
【００７３】
次に、図１４のフロー図とともに、保管部制御装置３３による表示動作に関する制御について説明する。
【００７４】
図１４には示していないが、保管部制御装置３３は、表示動作とは別に、常時、カセット認識動作を実行している。このカセット認識動作では、保管部３における保持部３２の、全てのカセット保持区画３２１について、カセット保持区画３２１に装着されている錠剤カセット４のカセット番号を取得する。そして、カセット保持区画３２１の位置とカセット番号とを関連付けて記憶する。
【００７５】
まず保管部制御装置３３は、前記情報処理装置６により送信されたコマンドデータの受信を確認する（ステップＳ４１）。受信が確認できた場合、コマンドデータを記憶する（ステップＳ４２）。なお、初期状態では、位置表示すべき錠剤カセット４がないことを表すコマンドデータが記憶されており、ステップＳ４２ではコマンドデータが上書きされることになる。コマンドデータの受信が確認できない場合は、初期状態のコマンドデータがそのまま残ってステップＳ４３に移行する。
【００７６】
次に、コマンドデータにより位置表示が必要か否かを判断する（ステップＳ４３）。必要と判断した場合、コマンドデータが表すカセット番号に関連付けられているカセット保持区画３２１の位置を表示する（ステップＳ４４）。具体的には、位置表示に係るカセット保持区画３２１に対応する側面位置表示部３２４ｂを点灯させるとともに、前面位置表示部３２４ａを点滅させる。その後、ステップＳ４１に戻る。
【００７７】
以上、本発明の一実施形態について説明したが、本発明は前記実施形態に限定されるものではなく、本発明の要旨を逸脱しない範囲内において種々の変更を加えることができる。
【００７８】
例えば、前記実施形態の調剤装置１は、錠剤の調剤を行うものであったが、散剤の調剤を行うこともでき、調剤対象である薬剤の形状や性状は限定されない。
【００７９】
また、前記実施形態の調剤装置１は、１台の装置本体２と１台の保管部３とが組み合わされていたが、１台の装置本体２と複数台の保管部３…３との組み合わせ、複数台の装置本体２…２と１台の保管部３との組み合わせ、複数台の装置本体２…２と複数台の保管部３…３との組み合わせ、のいずれも可能である。
【００８０】
また制御部の構成に関し、前記実施形態では図５に示すように、装置本体制御装置２３および保管部制御装置３３、そして、調剤装置１における総合制御装置である情報処理装置６を備えていたがこの構成に限定されない。例えば、情報処理装置６が直接調剤装置１および保管部３を制御することもできる。
【００８１】
また、前記実施形態の保持部３２は、内部で関連物を保持する保持区画（カセット保持区画３２１、包装体保持区画３２２）につき、上下方向１段で構成されていたが、複数段で構成することもできる。
【００８２】
つまり保持部３２は、関連物が置かれる棚部を上下方向に複数段備えることができる（棚部は、前記実施形態では各保持部３２の底部に相当する部分である）。この場合、複数段の棚部のそれぞれは前後方向に延びる。各棚部は、前記実施形態と同様に、当該各棚部を仕切ることで複数の保持区画を形成する仕切り部材３４１と、仕切り部材３４１が前後方向に間隔をあけて取り付けられる仕切り部材支持部３４２とを有するものとできる。なお前記実施形態は、このように棚部を上下方向に複数段備える場合であって、複数の保持部３２のそれぞれを、他の保持部３２と独立して保管部本体棚本体から引き出し可能としたものである。前記実施形態のように構成することにより、棚部を上下方向に複数段備える構成の「保持部」（前記実施形態における複数の保持部３２…３２が上下一体となったもの）を上下方向に小分けした分割体（単体）として形成できるので、個々の分割体である保持部３２を軽量化できる。このため、保持部３２の前後方向への移動に要する力を小さくすることができる。よって、作業者の使い勝手を向上させることができる。
【００８３】
また、区画設定手段３４は、前記実施形態では板状の仕切り部材３４１を用いて保持区画（包装体保持区画３２２）を形成したがこれに限定されない。例えば、保持部３２内への箱状体を配置すること、保持部３２の底部へピンを差し込んでピンを保持区画の境界とすること、保持部３２の底部に例えば爪状部を形成しておき、この爪状部を引き起こすことにより保持区画の境界を形成することが挙げられるが、その他種々の手段を区画設定手段３４として用いることができる。
【００８４】
また、前記実施形態では仕切り部材３４１が仕切り部材支持部３４２から分離可能であり、仕切り部材３４１を嵌め込み溝３４３に嵌め込むように構成されていたが、仕切り部材３４１が仕切り部材支持部３４２から分離不能であり、仕切り部材支持部３４２に対して仕切り部材３４１を前後方向にスライドできるように構成されていてもよい。
【００８５】
また、位置表示部３２４の表示形態は適宜、変更することができる。また、装置本体２を複数備える場合、位置表示部３２４は、位置表示すべき錠剤カセット４の取り付け対象となる装置本体２ごとに異なる色彩で表示してもよい。
【００８６】
また、関連装置の一例として、前記実施形態では払い出し機構７を説明したが、その他、ＰＴＰシート包装体Ｐ等の薬剤包装体から薬剤を取り出す除包機構、錠剤を半分に分割して半錠の状態にする際等に用いられる分割機構、錠剤を粉砕する粉砕機構等、種々のものを関連装置とできる。
【００８７】
また、前記実施形態における薬剤包装体はＰＴＰシート包装体Ｐであったが、これに限定されず、例えば軟膏を詰めたプラスチックケース、包装シートにより散剤を包装したもの等、薬剤が予め包装されて構成されるもの全般が薬剤包装体に該当する。
【符号の説明】
【００８８】
１          調剤装置
２          装置本体
２１        薬剤供給装置
２１１      薬剤収容部装着部、カセット装着部
３          保管部、薬剤包装体収納棚
３１        保管部本体、棚本体
３２        保持部
３２１      保持区画、カセット保持区画
３２２      保持区画、包装体保持区画
３２４      位置表示部
３２６      情報処理装置保持部
３２７      回動テーブル
３４１      仕切り部材
３４２      仕切り部材支持部
４          関連物、薬剤収容部、錠剤カセット
６          情報処理装置、ノート形コンンピュータ
７          関連装置、払い出し機構
８１        受け容器
Ｐ          関連物、薬剤包装体、ＰＴＰシート包装体
【図１】
0006735086.tif 000002
【図２】
0006735086.tif 000003
【図３】
0006735086.tif 000004
【図４】
0006735086.tif 000005
【図５】
0006735086.tif 000006
【図６】
0006735086.tif 000007
【図７】
0006735086.tif 000008
【図８】
0006735086.tif 000009
【図９】
0006735086.tif 000010
【図１０】
0006735086.tif 000011
【図１１】
0006735086.tif 000012
【図１２】
0006735086.tif 000013
【図１３】
0006735086.tif 000014
【図１４】
0006735086.tif 000015